(57)【要約】【課題】前面のケースを樹脂製にし、且つケースに設けた開口部を含めケースからの水の侵入を防止できる膜式ガスメータを提供する。【解決手段】膜式ガスメータ１には電子制御ユニットが搭載されている。電子制御ユニットは、少なくともその一部が積算流量値表示用のカウンタの下側に設けられ、且つ、正面ケースの背面側で且つ後方下側ケース４０及び／又は後方上側ケース３０の前面側に配設される。正面ケースは、樹脂製であり、正面下側ケース２０と正面上側ケース１０とを含んで構成される。正面下側ケース２０は、最上部の正面側に、最上部に沿って延伸する凸形状又は凹形状の第１嵌合部を有する。正面上側ケース１０は、カウンタを視認可能にする開口部を有し、最下部の裏側に最下部に沿って延伸する凹形状又は凸形状の第２嵌合部を有する。第１嵌合部と第２嵌合部は、上記最上部に上記最下部を被せた状態でお互いが嵌合する。【選択図】図１
2010019593.tif 000002
【特許請求の範囲】
【請求項１】
ガス流量を膜の往復運動により計量するための計量室を構成する後方下側ケースと、
圧力センサ及び遮断弁を内部に具備し該後方下側ケースの上方に配設された後方上側ケースと、
該後方上側ケースの前面に配設され、前記計量室で計量されたガス流量の積算値を表示するカウンタと、
少なくとも一部が該カウンタの下側に設けられ、基板を有する電子制御ユニットと、
前記後方下側ケースの前面、前記後方上側ケースの前面、前記カウンタ、及び前記電子制御ユニットを覆うように配設された正面ケースと、を備えた膜式ガスメータであって、
前記正面ケースは、樹脂からなり、下側に配設した正面下側ケースと上側に配設した正面上側ケースとを含んで構成され、
前記正面上側ケースは、前記カウンタを視認可能にする開口部を有し、
前記正面下側ケースは、最上部の正面側に、該最上部に沿って延伸する凸形状又は凹形状の第１嵌合部を有し、
前記正面上側ケースは、最下部の裏側に、該最下部に沿って延伸する凹形状又は凸形状の第２嵌合部を有し、
前記第１嵌合部と前記第２嵌合部は、前記正面下側ケースの最上部に前記正面上側ケースの最下部を被せた状態でお互いが嵌合することを特徴とする膜式ガスメータ。
【請求項２】
前記後方上側ケース、前記後方下側ケース、前記正面下側ケースのいずれかに爪引掛け部を設け、前記正面上側ケースは、前記第２嵌合部の近傍に、前記爪引掛け部に引っ掛けて保持するための爪部を設けたことを特徴とする請求項１に記載の膜式ガスメータ。
【請求項３】
前記後方上側ケース、前記後方下側ケース、前記正面下側ケースのいずれかに孔部を設け、前記正面上側ケースは、前記第２嵌合部の左右端の近傍に、前記孔部に嵌合する凸部を設けたことを特徴とする請求項１又は２に記載の膜式ガスメータ。
【発明の詳細な説明】
【技術分野】
【０００１】
本発明は、防水構造をもつ膜式ガスメータに関する。
【背景技術】
【０００２】
屋外に設置される膜式ガスメータは殆どが電子制御ユニットを搭載しており、電子制御ユニットを保護するために防水構造が施されている。電子制御ユニットを保護し水の浸入を防止するだけであれば、電子制御ユニットが収納されている電子制御部ケースをゴム等の弾性部材を装着することで実現できる。
【０００３】
また、屋外に設置される膜式ガスメータには、計量した流量積算値を表示するために数字車を含むカウンタが設けられており、このカウンタは正面ケースに設けられた開口部から視認可能に配設されている。そして、このカウンタは気密を必要とするため、その筐体を剛性のあるアルミダイカストにしカウンタのみで気密性を保つようにしている。また、電子制御ユニットは、少なくともその一部がカウンタより下側に搭載されているため、正面ケースを剛性のあるアルミダイカストにして開口部の変形や開口部の位置の変位を防ぎ、これにより開口部からの水の侵入を防止している。
【０００４】
なお、屋外に設置する電子機器の防雨構造として、特許文献１には、屋外に設置するインターホンに設けられた接続端子の防雨構造について記載されている。特許文献１に記載の技術は、伝送線上の水滴を接続端子から離れる方向に向かわせて落下させるように、端子防雨蓋を設置するものである。また、この端子防雨蓋は、下ケースに爪で固定されており容易に下ケースから取り外すことが可能になっている。
【特許文献１】特開２００５−１５９８９２号公報
【発明の開示】
【発明が解決しようとする課題】
【０００５】
しかしながら、従来の膜式メータのように正面ケースを剛性のあるアルミダイカストにすると高価となる。従って、正面ケースを安価な樹脂製にすることが好ましいが、樹脂製の正面ケースを採用した場合には、樹脂に剛性がないため変形し、開口部に隙間が生じ、開口部より下に位置する電子制御ユニットに水が侵入してしまう。このように、樹脂製の正面ケースでは気密性や防水性に難がある。なお、電子制御ユニット自体を気密性を保つ構造にすることで水の侵入を防ぐことはできるが、このような構造はメンテナンスし難い。
【０００６】
本発明は、上述のごとき実状に鑑みてなされたものであり、前面のケースを樹脂製にし、且つケースに設けた開口部を含めケースから水が侵入することを防止することが可能な防水構造をもった膜式ガスメータを提供すること、をその目的とする。
【課題を解決するための手段】
【０００７】
上記課題を解決するために、本発明の第１の技術手段は、ガス流量を膜の往復運動により計量するための計量室を構成する後方下側ケースと、圧力センサ及び遮断弁を内部に具備し該後方下側ケースの上方に配設された後方上側ケースと、該後方上側ケースの前面に配設され、前記計量室で計量されたガス流量の積算値を表示するカウンタと、少なくとも一部が該カウンタの下側に設けられ、基板を有する電子制御ユニットと、前記後方下側ケースの前面、前記後方上側ケースの前面、前記カウンタ、及び前記電子制御ユニットを覆うように配設された正面ケースと、を備えた膜式ガスメータであって、前記正面ケースは、樹脂からなり、下側に配設した正面下側ケースと上側に配設した正面上側ケースとを含んで構成され、前記正面上側ケースは、前記カウンタを視認可能にする開口部を有し、前記正面下側ケースは、最上部の正面側に、該最上部に沿って延伸する凸形状又は凹形状の第１嵌合部を有し、前記正面上側ケースは、最下部の裏側に、該最下部に沿って延伸する凹形状又は凸形状の第２嵌合部を有し、前記第１嵌合部と前記第２嵌合部は、前記正面下側ケースの最上部に前記正面上側ケースの最下部を被せた状態でお互いが嵌合することを特徴としたものである。
【０００８】
第２の技術手段は、第１の技術手段において、前記後方上側ケース、前記後方下側ケース、前記正面下側ケースのいずれかに爪引掛け部を設け、前記正面上側ケースは、前記第２嵌合部の近傍に、前記爪引掛け部に引っ掛けて保持するための爪部を設けたことを特徴としたものである。
【０００９】
第３の技術手段は、第１又は第２の技術手段において、前記後方上側ケース、前記後方下側ケース、前記正面下側ケースのいずれかに孔部を設け、前記正面上側ケースは、前記第２嵌合部の左右端の近傍に、前記孔部に嵌合する凸部を設けたことを特徴としたものである。
【発明の効果】
【００１０】
本発明によれば、膜式ガスメータにおいて、前面のケースを樹脂製にし、且つケースに設けた開口部を含めケースから水が侵入することを防止することが可能になる。
【発明を実施するための最良の形態】
【００１１】
本発明の膜式ガスメータ及びその防水構造について、図１〜図６を参照して説明する。図１は、屋外に設置する本発明の膜式ガスメータの一例を示す外観図である。また、図２は、図１の膜式ガスメータにおいてカウンタケースを取り外しカウンタ表示部の内部を露出させた様子を示す外観図、図３は、図２のカウンタケースの裏側の構造を示す外観図、図４は、図１の膜式ガスメータにおける電子制御部ケースの表側の構造を示す外観図である。また、図５及び図６は、図４の電子制御部ケースの表側に図３のカウンタケースの裏側を係止した様子を示す断面図である。
【００１２】
本発明の膜式ガスメータ１は、図１に示すように、後方上側ケース３０及び後方下側ケース４０で構成される計量部と、カウンタ表示部１０と、電子制御部２０とを備えている。後方下側ケース４０には主にガス流量を膜の往復運動により計量するための計量室が設けられており、後方上側ケース３０には主に圧力センサや遮断弁が設けられている。後方下側ケース４０には、ケース本体と計量室以外に必要に応じて適宜部品を設けてもよい。後方上側ケース３０にも同様に、ケース本体と圧力センサや遮断弁以外にも必要に応じて適宜部品を設けてもよい。なお、本明細書においては、膜式ガスメータ１を正位置に設置したときを基準として、前方、後方、上側、下側、水平方向などと記している。
【００１３】
電子制御部２０は、アルミダイカストなどに比べ安価に製造することが可能な樹脂製の前面下側ケース（電子制御部ケース）２１と、基板を搭載した電子制御ユニット（図示せず）とを有する。基板には、流量値等の処理演算を行うマイクロコンピュータや、各種積算値や警告情報などを表示する液晶表示部などの電子部品が搭載されている。ここで、後方下側ケース４０の前面に電子制御ユニットが設けられ、さらにそれらを覆うように電子制御部ケース２１が設けられている。
【００１４】
この電子制御ユニットの前後方向の配置としては、図示する例に限らず、電子制御部ケース２１及び後述のカウンタケース１１を含んで構成される正面ケースの背面側で、且つ後方下側ケース４０及び／又は後方上側ケース３０の前面側に配設されていればよい。また、電子制御ユニットの上下方向の配置としては、少なくともその一部が後述のカウンタ筐体１２より下側に位置するように配置されていればよい。
【００１５】
また、上述の電子制御ユニットには端子台が接続されており、この端子台は、電子制御部ケース２１とフラットになるように端子台カバー２１ａで覆われ、ネジ５０ｂで電子制御ユニット又は後方下側ケース４０に取り付けられている。端子台カバー２１ａと電子制御部ケース２１との間のつなぎ目の防水加工はゴム等の弾性部材により施しておけばよい。
【００１６】
図２に示すように、カウンタ表示部１０は、カウンタ筐体１２、ガラス１３、及び前面上側ケース（カウンタケース）１１を有する。カウンタ筐体１２は、剛性のあるアルミダイカストでできており、内部に設けられたカウンタ筒の周囲を囲むものである。カウンタ筒は、ガス流量の積算値をカウント表示する数字車である。カウンタ筐体１２は、気密を必要とし且つそのカウンタ筒が示す流量積算値を視認可能とする必要があるため、正面に開口部を設け、その開口部にガラス１３を接着して開口部が塞がれている。カウンタ表示部１０は、このようにカウンタ筐体１２にガラス１３を接着してなる部分が後方上側ケース３０の前面に配設され、さらにそれらを覆うように開口部１４を有するカウンタケース１１が設けられ、後方上側ケース３０にネジ５０ａで取り付けられている。
【００１７】
カウンタケース１１は、アルミダイカストなどに比べ安価に製造することが可能な樹脂製であり、ガラス１３を介して流量積算値が視認可能なように、開口部１４がガラス１３の配設された位置に合うように設けられている。カウンタケース１１が取り付けられたとき、図３にその裏側を示すように、メス壁１７ａが図２に示すパッキン１５を押し付け、さらにカウンタ筐体１２に接着されているガラス１３が、カウンタケース１１の開口部１４の周囲に取り付けられているパッキン１６で押し付けられて、外部から雨等の水の浸入を防いでいる。
【００１８】
このように、膜式ガスメータ１は、剛性に難のある樹脂を前面ケースの材料として使用するに際し、その防水性への影響を低減させるために、カウンタケース１１及び電子制御部ケース２１のように前面に設けるケースを二つ以上に分けることでケース毎の変形量を低減させている。
【００１９】
さらに防水性を向上させるために、膜式ガスメータ１は、カウンタケース１１と電子制御部ケース２１とのつなぎ目に次に説明するような防水構造を採用している。
【００２０】
このつなぎ目の防水構造について説明する。電子制御部ケース２１は、図４の凹部２３で例示するように、その最上部の正面側に、その最上部に沿って延伸する凹形状の第１嵌合部を有する。一方で、カウンタケース１１は、図３の凸部１８で例示するように、その最下部の裏側に、その最下部に沿って延伸する凸形状の第２嵌合部を有する。そして、カウンタケース１１を後方上側ケース３０側に取り付けるときには、電子制御部ケース２１の最上部にカウンタケース１１の最下部を被せた状態で、カウンタケース１１に形成された凸部１８（図３）が、電子制御部ケース２１に形成されている凹部２３（図４）の間に入るようにお互いを嵌合させる。このような凸部１８と凹部２３との係合状態の断面は、図５で示すようになる。凸部１８と凹部２３とを嵌合した構造は、２重の壁構造となるため、水の浸入経路を長くすることができ、その結果、カウンタケース１１と電子制御部ケース２１の隙間からの水の浸入を防ぐことができる。
【００２１】
また、この凸部１８と凹部２３の間にパッキンなどを設けることでより防水性を高めてもよい。さらに、凸部１８と凹部２３の隙間を狭くし、更に凹凸を増やすことで、より防水効果を増加させることができる。また、カウンタケース１１側に凹部を設け、電子制御部ケース２１側に凸部を設けてもよい。
【００２２】
以上、説明したように、本発明の膜式ガスメータによれば、前面ケースを樹脂製にし、且つケースに設けた開口部やカウンタケース１１と電子制御部ケース２１との隙間から水が侵入することを防止することが可能になる。
【００２３】
また、図３に示すようにカウンタケース１１の裏側であって凸部１８の近傍に爪部１７ｃを設け、図４に示す電子制御部ケース２１に設けた爪引掛け部２２ｃに、その爪部１７ｃを引っ掛けてカウンタケース１１自身を保持することが好ましい。このような爪部１７ｃと爪引掛け部２２ｃとの係合状態の断面は、図５で示すようになる。このような構造を採用することで、変形等による上下方向の浮きを無くすことができ、カウンタケース１１の変形等により凹部２３と凸部１８に隙間が発生して水が浸入する可能性をより低減することができる。また、爪引掛け部は、後方上側ケース又は後方下側ケースに設けておいてもよい。
【００２４】
さらに、図３に示すようにカウンタケース１１の下方の裏側であって凸部１８の左右端近傍に凸部１７ｂを２箇所設け、それを図４に示す電子制御部ケース２１に２箇所設けた孔部２２ｂに挿入して嵌合することが好ましい。凸部１７ｂは円状凸部で例示しているが、これに限らず突起部であればよく、孔部２２ｂもこれに合う形状であればよい。このような凸部１７ｂと孔部２２ｂとの嵌合状態を示す水平方向断面は、図６で示すようになる。このような構造を採用することで、変形等による左右方向の開きを無くすことができ、カウンタケース１１の変形等により凹部２３と凸部１８に隙間が発生して水が浸入する可能性をより低減することができる。
【００２５】
凸部１７ｂ及び孔部２２ｂで例示したこのような構造は、爪部１７ｃ及び爪引掛け部２２ｃを設けた構造を採用するしないに拘わらず採用することができる。また、孔部は、後方上側ケース又は後方下側ケースに設けておいてもよい。また、孔部を正面下側ケースと後方上側ケース又は後方下側ケースとの双方の同じ位置に設けておき、双方を貫通させるように凸部を取り付けてもよい。
【図面の簡単な説明】
【００２６】
【図１】屋外に設置する本発明の膜式ガスメータの一例を示す外観図である。
【図２】図１の膜式ガスメータにおいてカウンタケースを取り外しカウンタ表示部の内部を露出させた様子を示す外観図である。
【図３】図２のカウンタケースの裏側の構造を示す外観図である。
【図４】図１の膜式ガスメータにおける電子制御部ケースの表側の構造を示す外観図である。
【図５】図４の電子制御部ケースの表側に図３のカウンタケースの裏側を係止した様子を示す断面図である。
【図６】図４の電子制御部ケースの表側に図３のカウンタケースの裏側を係止した様子を示す断面図である。
【符号の説明】
【００２７】
１…膜式ガスメータ、１０…カウンタ表示部、１１…カウンタケース、１２…カウンタ筐体、１３…ガラス、１４…開口部、１５，１６…パッキン、１７ａ…メス壁、１７ｂ…凸部、１７ｃ…爪部、１８…凸部、２０…電子制御部、２１…電子制御部ケース、２１ａ…端子台カバー、２２ｂ…孔部、２２ｃ…爪引掛け部、２３…凹部、３０…後方上側ケース、４０…後方下側ケース、５０ａ，５０ｂ…ネジ。
【図１】
2010019593.tif 000003
【図２】
2010019593.tif 000004
【図３】
2010019593.tif 000005
【図４】
2010019593.tif 000006
【図５】
2010019593.tif 000007
【図６】
2010019593.tif 000008